Podtech/llm-jp-corpus-v4-ja_patent huggingface dataset:
(57)【要約】      （修正有）【課題】新聞閲覧時に１枚をめくりやすい形状の新聞紙を提供する。【解決手段】新聞閲覧時の改ページの時に触る左側および右側の切断端面の形状を、新聞紙の上側および下側端面と同様のギザギザの切断面とすることで、新聞紙相互に微小な乖離が生じて凸部が指にかかりやすいことで、重なった新聞紙から１枚をめくりやすくする。【選択図】図２
0003210192.tif 000002
【実用新案登録請求の範囲】
【請求項１】
新聞紙の左側および右側の切断端面を、上側および下側の切断面と同様のギザギザの切断端面とすることにより、新聞閲覧時の改ページを容易にする新聞紙
【考案の詳細な説明】
【技術分野】
【０００１】  本考案は、新聞紙の左側および右側端面にギザギザの切断面を設けた、新聞紙に関するものである。
【背景技術】
【０００２】  新聞紙の切断面は、上側および下側の端面はギザギザの切断面、左側および右の端面は直線の切断面となっている。
【考案の概要】
【考案が解決しようとする課題】
【０００３】  新聞を閲覧する場合、両手で新聞を見開き、改ページする時は右または左の１枚を指でめくるが、新聞紙の左側および右側端面が直線で切断されていると、１枚をめくることが難しい場合がある。
【課題を解決するための手段】
【０００４】  本考案は、新聞閲覧時に改ページの時触る左側および右側の切断端面の形状を、新聞紙の上側および下側端面と同様のギザギザの切断面とすることで新聞紙相互に微小な乖離が生じること及び凸部が指にかかりやすいことで、重なった新聞紙から１枚をめくりやすくするものである。
【考案の効果】
【０００５】  新聞閲覧時に、改ページを容易にすることでスムースな閲覧と苛立ちを防止することができる。
【図面の簡単な説明】
【０００６】
【図１】新聞紙の全体図（１枚）
【図２】図１のＡ部拡大図
【図３】図１のＢ部拡大図
【符号の説明】
【０００７】１  新聞紙（見開き状態）
２  上側
３  下側
４  右側
５  左側
【図１】
0003210192.tif 000003
【図２】
0003210192.tif 000004
【図３】
0003210192.tif 000005
(57)【要約】      （修正有）【課題】炊飯器の米飯の保温機能を利用して、内釜の上部の隙間に設置して料理を温めることができる器具を提供する。【解決手段】円形の金網２と、金網の四方にステンレスの針金１とを備え、針金を折り曲げることにより内釜内部につり下げる。円形の金網が、炊飯器の釜の内側上部に米飯に触れないような高さに設置でき、炊飯器の保温機能を妨げない。【選択図】図３
0003210895.tif 000002
【実用新案登録請求の範囲】
【請求項１】
炊飯器の米飯の保温機能を利用して、釜の上部の隙間を利用して料理を保温するための器具である。
【考案の詳細な説明】
【技術分野】
【０００１】  この考案は、炊飯器の米飯の上部の隙間を利用して、皿にのせた料理を保温するための器具に関するものである。
【背景技術】
【０００２】  円形の金網の四方に針金を取り付け、炊飯器の釜の内側上部に網棚を設置できるようにしたものである。
【考案の開示】
【考案が解決しようとする課題】
【０００３】  円形の金網が、炊飯器の釜の内側上部に米飯に触れないような高さに設置できるように、また設置したことで炊飯器の保温機能を妨げないようにすることである。
【課題を解決するための手段】
【０００４】  円形の金網を適切な位置に設置できるようにするために、容易に曲げて加工できるステンレスの針金を用いた。ステンレスの針金を用いたことにより、設置しやすさと保温機能の妨げにならないという課題を解決している。
【考案の効果】
【０００５】  円形の金網を誰でも容易に適切な位置に設置できることにより、炊飯器のふたを開けると温かい料理と米飯を食べることができる。
【考案を実施するための最良の形態】
【０００６】  炊飯器の大きさは１升炊き・５合炊きなどいろいろあるが、加工しやすいステンレスの細い針金を自由に曲げ、釜の大きさや使用する皿の大きさに適応するようにして使用する。
【実施例】
【０００７】  以下、添付図面に従って実施例を説明する。１のステンレスの細い針金を２の円形の金網の四方に設ける。それを炊飯器の内部に米飯に触れない高さに設置できるよう細い針金または薄い金属の帯を折り曲げつり下げる。この金網の上に皿に盛りつけた料理をラップフィルムで覆って乗せる。
【産業上の利用可能性】
【０００８】  介護の現場で独居老人や老々介護の家庭が多い中、介護者や支援者がこの考案の器具を使って温かい料理を提供することができることで、より充実した介護ができるものと考える。
【図面の簡単な説明】
【０００９】
【図１】器具の正面図である。
【図２】器具を炊飯器の釜の最適の位置に設置する際の俯瞰図である。
【図３】使用時の俯瞰図である。
【符号の説明】
【００１０】１  ステンレスの細い針金
２  円形の金網
３  炊飯器の釜部
４  米飯
【図１】
0003210895.tif 000003
【図２】
0003210895.tif 000004
【図３】
0003210895.tif 000005
【手続補正書】
【提出日】平成29年3月18日(2017.3.18)
【手続補正１】
【補正対象書類名】実用新案登録請求の範囲
【補正対象項目名】全文
【補正方法】変更
【補正の内容】
【実用新案登録請求の範囲】
【請求項１】
炊飯器の米飯の保温機能を利用して、内釜の上部の隙間を利用して料理を温めるための器具であって、円形の金網と、前記金網の四方に針金とを備え、針金を折り曲げることにより内釜内部につり下げることを特徴とする器具。
(57)【要約】      （修正有）【課題】高いアピール効果を実現することができるアルミ材超反射ピースを提供する。【解決手段】疑似餌本体４に、光超反射可能な超薄い且つダイヤカット多面模様を設けるアルミ材超反射ピース５を用いることによって、該疑似餌本体４は３次元的に四方に反射することが可能になり、このアルミ材のダイヤカット多面の超反射によって集魚能力がより強く実現する。【選択図】図４
0003210896.tif 000002
【実用新案登録請求の範囲】
【請求項１】
魚釣りで用いる疑似餌本体４であり、該疑似餌本体４は海や湖や川などの中より効率良い釣果を得るために、その時その時の釣り場の環境に合わせ該疑似餌本体４に様々な色やフックシステム９を絶えず変える必要があり、該疑似餌本体４の表面を鮮やか且つ顕著にアピールさせるために該疑似餌本体４の表面に光を超反射可能な超薄い且つダイヤカット多面模様設けるアルミ材超反射ピース５を用いることと、を特徴とする超反射性を持ちアルミ材超反射ピース。
【考案の詳細な説明】
【考案の詳細な説明】
【考案が解決しようとする課題】
【０００１】  従来の疑似餌本体１は、図１で示すように無垢の無色本体で、該疑似餌本体１に集魚性を高めるために色を塗り、また更により集魚性を上げるために、図２で示すように従来の疑似餌本体１に反射性のある模様のホログラムシート２を貼り疑似餌本体３を完成していく。しかし、現在使われているホログラムシート２は紙のような薄く平らなものであり、３次元性がなく反射性も弱いため魚へのアピール効果が弱く、集魚が困難。
【考案が解決するための手段】
【０００２】  そこで、図４及び図５で示す本考案の疑似餌本体４に、本考案の光超反射可能な超薄い且つダイヤカット多面模様を設けるアルミ材超反射ピース５を用いることによって、該疑似餌本体４は３次元的に四方に反射することが可能になり、このアルミ材のダイヤカット多面の超反射によって集魚能力がより強く実現する。
【実施例】
【０００３】    本考案に係わる３次元アルミ材超反射ピース５を実現するために、図６で示すように平ら超薄いアルミ板６に打抜きスタンピング型７によってあらかじめ決めたサイズとダイヤカット多面構造８の模様を形成し打ち抜くことによって超多面反射の効果が得られて、また図４で示すように該アルミ材超反射ピース５を貼り付けた疑似餌本体４は高いアピール効果を実現することができる。
【考案の効果】
【０００４】  本考案のアルミ材超反射ピース５を疑似餌本体４に装着することによって、従来のホログラムシート２を貼り付けた疑似餌本体３に比べて、疑似餌本体４の方が多面反射によって高い光の反射性を持ち、高い集魚効果を実現する。
【図面の簡単な説明】
【図１】  従来の疑似餌本体を示す図
【図２】  従来の疑似餌本体３を示す図
【図３】  従来の疑似餌本体３の拡大を示す図
【図４】  本考案のアルミ材超反射ピース５を装着した疑似餌本体４を示す図
【図５】  本考案のアルミ材超反射ピース５の拡大を示す図
【図６】  本考案のアルミ材超反射ピース５の成型工程を示す図
【図７】  アルミ材超反射ピース５の多面反射効果を示す図
【符号の説明】  １  従来疑似餌本体
２  ホログラムシート
３  化粧済み従来の疑似餌本体
４  アルミ材超反射ピース５装着した疑似餌本体
５  アルミ材超反射ピース
６  アルミ板
７  打ち抜き型
８  本考案のダイヤ凹凸構造
９  フックシステム
【図１】
0003210896.tif 000003
【図２】
0003210896.tif 000004
【図３】
0003210896.tif 000005
【図４】
0003210896.tif 000006
【図５】
0003210896.tif 000007
【図６】
0003210896.tif 000008
【図７】
0003210896.tif 000009
(57)【要約】      （修正有）【課題】断熱性を向上させることができる住宅用天井断熱パネルを提供する。【解決手段】住宅用天井断熱パネル１０は、板状の発泡系断熱材により構成されている。住宅用天井断熱パネル１０の下面側には、周縁に、梁に載せるための切欠き１１が設けられ、この切欠き１１に対応して、上面側には梁を覆う鍔部１２が設けられている。これにより、住宅用天井断熱パネル１０は、切欠き１１を梁に合わせ、梁の上に鍔部１２を載せて配設され、梁を覆うようになっている。【選択図】図１
0003210861.tif 000002
【実用新案登録請求の範囲】
【請求項１】
板状の発泡系断熱材よりなり、下面側には梁に載せるための切欠きが設けられ、この切欠きに対応して、上面側には梁を覆う鍔部が設けられたことを特徴とする住宅用天井断熱パネル。
【考案の詳細な説明】
【技術分野】
【０００１】
本考案は、住宅の建築に用いられる住宅用天井断熱パネルに関する。
【背景技術】
【０００２】
近年、住宅の快適性を向上させ、かつ、省エネを達成するために、住宅の高断熱化が進められている。一般に、木造住宅の断熱工法としては、例えば、充填断熱工法と外張断熱工法の２つがある（例えば、非特許文献１参照）。このうち、充填断熱工法は、柱などの構造材の間に断熱材を充填する方法であり、壁の内側の空間を利用するので、支持材などで新たに断熱用のスペースを作る必要がなく、低コストであるという特徴を有している。断熱材には、例えば、グラスウール、ロックウール、又は、セルロースファイバーなどの繊維系断熱材が用いられている。天井についても、この充填断熱工法が広く用いられている。
【先行技術文献】
【非特許文献】
【０００３】
【非特許文献１】ホームページ「断熱住宅．ｃｏｍ」（http://dannetsujyutaku.com/basic/knowledge/method）
【考案の概要】
【考案が解決しようとする課題】
【０００４】
しかしながら、この工法では、例えば梁の間に断熱材を充填するので、梁による熱橋が有り、十分な断熱性を得ることができないという問題があった。
【０００５】
本考案は、このような問題に基づきなされたものであり、断熱性を向上させることができる住宅用天井断熱パネルを提供することを目的とする。
【課題を解決するための手段】
【０００６】
本考案の住宅用天井断熱パネルは、板状の発泡系断熱材よりなり、下面側には梁に載せるための切欠きが設けられ、この切欠きに対応して、上面側には梁を覆う鍔部が設けられたものである。
【考案の効果】
【０００７】
本考案によれば、発泡系断熱材よりなり、下面側に梁に載せるための切欠きを設け、上面側に梁を覆う鍔部を設けるようにしたので、梁を発泡系断熱材で覆うことができ、梁による熱橋を抑制し、断熱性を向上させることができる。また、切欠きを梁に合わせ、梁の上に鍔部を載せて載置することにより、簡単に、設置することができる。また、気密が取りやすくなり、梁の上部と側部を覆い隙間なく重なりが多く設置できる。
【図面の簡単な説明】
【０００８】
【図１】本考案の一実施の形態に係る住宅用天井断熱パネルの構成を表す斜視図である。
【考案を実施するための形態】
【０００９】
以下、本考案の実施の形態について、図面を参照して詳細に説明する。
【００１０】
図１は本実施の形態に係る住宅用天井断熱パネル１０の構成を表すものである。この住宅用天井断熱パネル１０は、板状の発泡系断熱材により構成されている。発泡系断熱材としては、例えば、押出し発泡ポリスチレン、ビーズ法ポリスチレン、ウレタンフォーム、高発泡ポリエチレン、又は、フェノールフォームが挙げられる。
【００１１】
住宅用天井断熱パネル１０を上から見た形状は、例えば、矩形である。住宅用天井断熱パネル１０の大きさは、例えば、長さ１８２０ｍｍ、幅９１０ｍｍ、厚み１３０ｍｍの場合から長さ９１０ｍｍ、幅９１０ｍｍ、厚み１３０ｍｍまで間取りによって自在に設定される。なお、住宅用天井断熱パネル１０の角部には、柱に合わせて柱用切欠き（図示せず）が設けられていてもよい。
【００１２】
住宅用天井断熱パネル１０の下面側には、例えば周縁に、梁（図示せず）に載せるための切欠き１１が設けられている。また、住宅用天井断熱パネル１０の上面側には、切欠き１１に対応して、梁（図示せず）を覆う鍔部１２が設けられている。これにより、住宅用天井断熱パネル１０は、切欠き１１を梁（図示せず）に合わせ、梁（図示せず）の上に鍔部１２を載せて配設されて、梁（図示せず）を覆うようになっている。
【００１３】
切欠き１１の幅は例えば５３ｍｍから６０ｍｍ程度、深さは例えば５０ｍｍから１２０ｍｍ程度とすることが好ましい。鍔部１２の幅は切欠き１１と同じであり、厚みは例えば１０ｍｍから８０ｍｍ程度とすることが好ましい。梁を覆って断熱性を高めることができると共に、強度も得ることができるからである。
【００１４】
このように本実施の形態の住宅用天井断熱パネル１０によれば、発泡系断熱材よりなり、下面側に梁（図示せず）に載せるための切欠き１１を設け、上面側に梁（図示せず）を覆う鍔部１２を設けるようにしたので、梁（図示せず）を発泡系断熱材で覆うことができ、梁（図示せず）による熱橋を抑制し、断熱性を向上させることができる。また、切欠き１１を梁（図示せず）に合わせ、梁（図示せず）の上に鍔部１２を載せて載置することにより、簡単に、設置することができる。また、気密が取りやすくなり、梁（図示せず）の上部と側部を覆い隙間なく重なりが多く設置できる。
【００１５】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００１６】
１０…住宅用天井断熱パネル、１１…切欠き、１２…鍔部
【図１】
0003210861.tif 000003
(57)【要約】【課題】洗濯ネットに外観上の面白さを備えさせることにより、従来の洗濯ネットと同様に用いることができるのみならず、洗濯物を含む種々の物品の持ち運び容器、飾り物、置物等としても好ましく用いることができるようにした洗濯ネットを提供する。【解決手段】繊維生地の袋状体３に開口部５を備えさせ、該開口部５をスライドファスナー７により開閉自在としてなる洗濯ネットにおいて、該袋状体３はキャラクタの形態を呈することを特徴とする洗濯ネット。【選択図】図１
0003210867.tif 000002
【実用新案登録請求の範囲】
【請求項１】
繊維生地の袋状体に開口部を備えさせ、該開口部をスライドファスナーにより開閉自在としてなる洗濯ネットにおいて、該袋状体はキャラクタの形態を呈することを特徴とする洗濯ネット。
【考案の詳細な説明】
【技術分野】
【０００１】
本考案は、洗濯ネットに関するものであり、単に洗濯物を収納した状態で洗濯機内に投入することができるだけでなく、洗濯物を含む種々の物品の持ち運び容器、飾り物、置物等としても好ましく用いることができるようにした洗濯ネットに係るものである。
【背景技術】
【０００２】
洗濯ネットとしては、例えば特開平１１−１１４２７９号公報に示すように、網製の袋状体に開口部を備えさせ、該開口部をスライドファスナーにより開閉自在としてなるもの（以下「従来の洗濯ネット」という。）が既に知られている。
【先行技術文献】
【特許文献】
【０００３】
【特許文献１】特開平１１−１１４２７９号公報
【考案の概要】
【考案が解決しようとする課題】
【０００４】
従来の洗濯ネットは、洗濯物を収納した状態で洗濯機内に投入することにより、洗濯中に該洗濯物に傷み、型崩れ等が生じないようにするという実用的効果を発揮するものであるが、本考案は、このような洗濯ネットに外観上の面白さを備えさせることにより、従来の洗濯ネットと同様に用いることができるのみならず、洗濯物を含む種々の物品の持ち運び容器、飾り物、置物等としても好ましく用いることができるようにした洗濯ネットを提供しようとしてなされたものである。
【課題を解決するための手段】
【０００５】
上記課題を解決するために、本考案は下記の洗濯ネットを提供するものである。
【０００６】
繊維生地の袋状体に開口部を備えさせ、該開口部をスライドファスナーにより開閉自在としてなる洗濯ネットにおいて、該袋状体はキャラクタの形態を呈することを特徴とする洗濯ネット。
【考案の効果】
【０００７】
本考案による洗濯ネットは、繊維生地の袋状体に開口部を備えさせ、該開口部をスライドファスナーにより開閉自在としてなるため、洗濯物を収納した状態で洗濯機内に投入することにより、洗濯中に該洗濯物に傷み、型崩れ等が生じないようにするという実用的効果を発揮する点においては、従来の洗濯ネットと同様である。
【０００８】
しかして、本考案による洗濯ネットにおける袋状体はキャラクタの形態を呈しているため、外観上の面白さを備えている。したがって、本考案による洗濯ネットは、洗濯物を含む種々の物品の持ち運び容器、飾り物、置物等としても好ましく用いることができる。特に、本考案による洗濯ネットは、例えば外泊を伴う観光旅行、商用旅行等の旅行に携行し、旅行中に生じた洗濯物を収納して持ち運び、洗濯時には洗濯物を収納したまま洗濯機内に投入することができる。
【図面の簡単な説明】
【０００９】
【図１】図１は、本考案による洗濯ネットの断面図である。
【図２】図２は、同上洗濯ネットの側面図である。
【図３】図３は、同上洗濯ネットの平面図である。
【図４】図４は、同上洗濯ネットの正面図である。
【考案を実施するための形態】
【００１０】
本考案による洗濯ネット１は、従来の洗濯ネットと同様に、繊維生地の袋状体３に開口部５を備えさせ、該開口部５をスライドファスナー７により開閉自在としてなるものである。符号９に示すものはスライドファスナー７のプルタブである。繊維生地の袋状体３は、好ましくは網製のダブルラッセル製、メッシュ製、又はトリコット製とするが、洗濯ネットとして縫製可能な編物ないし織物であればいかなるものであっても差し支えない。
【００１１】
しかして、本考案による洗濯ネット１における袋状体３はキャラクタの形態を呈する。本考案における「キャラクタ」は、人物、動物、植物その他の生物、富士山その他の自然物、機械その他の人工物又は仮想物を有形的に表現してなるものを含む。添付図面に示すキャラクタは、アザラシをデフォルメして縫ぐるみ状に形成してなるものである。
【００１２】
本考案による洗濯ネット１は、例えば外泊を伴う観光旅行、商用旅行等の旅行に携行し、旅行中に生じた洗濯物１１を収納して持ち運び、洗濯時には洗濯物１１を収納したまま洗濯機内に投入して洗濯物１１を洗濯することもできる。
【符号の説明】
【００１３】
１  洗濯ネット
３  袋状体
５  開口部
７  スライドファスナー
９  プルタブ
１１  洗濯物
【図１】
0003210867.tif 000003
【図２】
0003210867.tif 000004
【図３】
0003210867.tif 000005
【図４】
0003210867.tif 000006
(57)【要約】      （修正有）【課題】商品本体の商品価値を高める商品パッケージを提供する。【解決手段】立方体の形状を有し、該立方体の上部が開閉容易な花びら模様の蓋である。【選択図】図１
0003210887.tif 000002
【実用新案登録請求の範囲】
【請求項１】
本考案は、商品パッケージの形状をよりファショナブルにし、商品をより際立つように対応したものである。
【考案の詳細な説明】
【技術分野】
【０００１】本考案は、パッケージの蓋の部分をスタイリッシュにし、パッケージ本体と蓋を一体化したものである。
【背景技術】
【０００２】従来の箱型パッケージは、本体部と蓋の部分が分割され、オーソドックスな種類が主流を占めていた。
【考案の概要】
【考案が解決しようとする課題】
【０００３】商品パッケージは、販売時に強力なアイテムであり、ユーザーが目を引くものでありたいとの考案である。
【課題を解決するための手段】
【０００４】本考案は、蓋の部分のデザインをファッショナブルなものにする。又、パッケージの大きさにより、考案部分は寸法比率により自在に大きさを変える事が可能である。
【図面の簡単な説明】
【０００５】
【図１】本考案の商品パッケージの実施例を示す正面図である。
【図２】本考案の外形図
【考案を実施するための形態】
【０００６】本考案物は、パッケージの上面部分にデザインする事によりパッケージの全体がファッショナブルになり目がひくようになる。
【符号の説明】
【０００７】１  パッケージ本体
２  上面デザイン部
３  パッケージ底面
４  のりしろ
５  折り目
【図１】
0003210887.tif 000003
【図２】
0003210887.tif 000004
【手続補正書】
【提出日】平成28年10月21日(2016.10.21)
【手続補正１】
【補正対象書類名】実用新案登録請求の範囲
【補正対象項目名】全文
【補正方法】変更
【補正の内容】
【実用新案登録請求の範囲】
【請求項１】
本考案は、商品パッケージの形状をよりファショナブルにし、商品をより際立つことを特徴とする商品パッケージ。
【手続補正書】
【提出日】平成29年1月23日(2017.1.23)
【手続補正１】
【補正対象書類名】実用新案登録請求の範囲
【補正対象項目名】全文
【補正方法】変更
【補正の内容】
【実用新案登録請求の範囲】
【請求項１】
本考案は、商品パッケージの形状は、立方体のパッケージ上部に開閉が容易な花びら模様の蓋を組合せたものである。
【手続補正書】
【提出日】平成29年3月16日(2017.3.16)
【手続補正１】
【補正対象書類名】実用新案登録請求の範囲
【補正対象項目名】全文
【補正方法】変更
【補正の内容】
【実用新案登録請求の範囲】
【請求項１】
立方体の形状を有し、該立方体の上部に開閉が容易な花びら模様の蓋であることを特徴とする商品パッケージ。
(57)【要約】      （修正有）【課題】スライダーの停止保持時には引手が固定され、クリーニングの際等の引き手の脱落防止を抑制できるファスナー用スライダーを提供する。【解決手段】先端部が根元部よりも若干太くなった膨出部６からなる柱５を有する引手取付け部７が設けられたスライダー本体２と、取付け穴４が設けられ、スライダー本体２に可動支持された引手３とを備えたファスナー用スライダー１において、スライダー本体２の移動時には引手３は柱５に可動支持されており、スライダー本体２の停止保持時には取付け穴４が柱５に嵌合されることを特徴とする。【選択図】図１
0003210853.tif 000002
【実用新案登録請求の範囲】
【請求項１】
先端部が膨出した形状からなる柱を有する引手取付け部が設けられたスライダー本体と、前記先端部に嵌合可能な取付け穴を有する引手とを備えたファスナー用スライダーであって、前記取付け穴が前記柱の前記先端部に嵌合されると、引手が前記スライダー本体に固定され、前記取付け穴が前記柱から外れていると、前記引手がスライダー本体に可動であることを特徴とするファスナー用スライダー。
【考案の詳細な説明】
【技術分野】
【０００１】
本考案は、ファスナーのスライダーの構造に関する。
【背景技術】
【０００２】
図４は従来のファスナー用スライダーの斜視図である。図４において、ファスナー用スライダー１は、スライダー本体２と引手３とから構成される。スライダー本体２には、引手取付け部７が設けられた柱５が形成されている。引手３には、引手取付け部７と係合する取付け穴４が形成されている。
【先行技術文献】
【特許文献】
【０００３】
【特許文献１】特開２００４−３４４３１０
【考案の概要】
【考案が解決しようとする課題】
【０００４】
ズボンのファスナーの引手は途中で自然に開かないように、ファスナーをロック出来る機能を備えたものもあるが、一般的なファスナーの場合、引手が自由に動き、他の物に引っ掛かり、引手と引手取り付け部が破損し、ファスナーの開閉が出来なくなることがある。
また、スライダーの引手と引手取り付け部が破損した場合、スライダーの移動が困難となり、本来の役目を果たさず交換を要する。しかしながら、修理用のファスナーは種類が少なく、取り付けてあった従来のファスナーのデザインやイメージが変わってしまう事がある。
【課題を解決するための手段】
【０００５】
本考案のファスナー用スライダーは、先端部が膨出した形状からなる柱を有する引手取付け部が設けられたスライダー本体と、前記先端部に嵌合可能な取付け穴を有する引手とを備えたファスナー用スライダーであって、前記取付け穴が前記柱の前記先端部に嵌合されると、引手が前記スライダー本体に固定され、前記取付け穴が前記柱から外れていると、前記引手がスライダー本体に可動であることを特徴とする。
【考案の効果】
【０００６】
本考案のファスナー用スライダーによれば、引手の取付け穴にスライダーの柱の膨出部が嵌合する構造であるため、スライダーの停止保持時には引手が固定され、クリーニングの際等の引き手の脱落防止を抑制できる。
【図面の簡単な説明】
【０００７】
【図１】本考案のファスナー用スライダーの斜視図である。
【図２】本考案のファスナー用スライダーの停止保持時の状態を示す上面図である。
【図３】（ａ）は図２のＡ−Ａ断面図、（ｂ）は図２のＢ−Ｂ断面図である。
【図４】従来のファスナー用スライダーの斜視図である。
【考案を実施するための形態】
【０００８】
以下、本考案のファスナー用スライダーを図１から図３により説明する。
【実施例】
【０００９】
図１は本考案のファスナー用スライダーの斜視図、図２は本考案のファスナー用スライダーの停止保持時の状態を示す上面図、図３は（ａ）が図２のＡ−Ａ断面図、（ｂ）が図２のＢ−Ｂ断面図である。これらの図において、図４の従来例と同じ構成部分には同番号を付し、詳しい説明を省略する。
【００１０】
本考案のファスナー用スライダー１の柱５の先端部は、その根元部よりも若干太くなった膨出部６となっており、引手３の取付け穴４に嵌合して引手３を固定することができる。前記膨出部６の形状は、引手の長手方向（図２中のＡ−Ａ方向）への延出部６ａと、引手の短手方向（図２中のＢ−Ｂ方向）への延出部６ｂが連続的に滑らかに形成されたものである。
【００１１】
本考案のファスナー用スライダーの引手３は次のようにして使用する。ファスナーを開閉動作する際には、引手３の取付け穴４とスライダー本体２に形成された柱５の膨出部６との嵌合状態を解除するために、引手３を手で起こすことにより引手３は引手取付け部７に可動自在に保持された状態になる。ファスナーの開閉動作が終了した後は、引手３の取付け穴４をスライダー本体２に形成された柱５の膨出部６に嵌合させることにより、引手３をスライダー本体２に固定できる。
【符号の説明】
【００１２】
１  ファスナー用スライダー
２  スライダー本体
３  引手
４  取付け穴
５  柱
６  膨出部
６ａ、６ｂ  延出部
７  引手取付け部
【図１】
0003210853.tif 000003
【図２】
0003210853.tif 000004
【図３】
0003210853.tif 000005
【図４】
0003210853.tif 000006
(57)【要約】      （修正有）【課題】テニスのゲーム中に、ポイントを忘れない様に、リストバンドにカウンターを設けた、カウンター付きリストバンドを提供する。【解決手段】リストバンド１の表面に、ポイントの数字、文字２を表示し、ポイントの数字、文字２の中央に回転する矢印３を設けた。【選択図】図１
0003210012.tif 000002
【実用新案登録請求の範囲】
【請求項１】
リストバンド（1）の表面に、ポイントの数字、文字（２）を表示し、
ポイントの数字、文字（２）の中央に回転する矢印（３）を設けたカウンター付きリストバンド。
【考案の詳細な説明】
【技術分野】
【０００１】
本考案は、リストバンドにテニスポイントのカウンターを設けたポイントカウンター付きリストバンドに関するものである。」
【背景技術】
【０００２】
従来、リストバンドとテニスポイントのカウンターは別々になっていた。
【考案の概要】
【考案が解決しようとする課題】
【０００３】
リストバンド（１）にポイント（２）を刺繍又は、記載、貼り付けをし、
回転する矢印（３）を設ける。
本考案は、以上の構成よりなるテニスポイントカウンター付きリストバンドである。
【課題を解決するための手段】
【０００４】
これは、次のような欠点があった。
カウンター機能専門で腕に巻く物があったが、リストバンドの妨げになっていた。
また、コスト上高価な為、気軽に購入出来なかった。
リストバンドにポイントを記載し、ポイントが変わるごとにリストバンド本体を回して該当するポイントに合わせる物があったが、
ゲーム中の作業に手間がかかりゲームに集中出来なかった。
本考案は、以上のような欠点をなくすためになされた物である。
【考案の効果】
【０００５】
テニスのゲーム中で、ゲームに集中するあまりにポイントを忘れがちになる。
逆に、ポイントを忘れない様に神経を使う事で、ゲームに集中出来ない。
また、ゲームの審判を務めた際に、カウントを覚えておくのが大変。
そんな悩みを解消し、ポイント忘れの防止に役立つ。
大きなスコアボードを用意しなくても、小型で持ち運びが楽。
リストバンドに組み込まれている為、ゲーム中に落とす心配もない。
【図面の簡単な説明】
【０００６】
【図１】本考案の斜視図である。
【考案を実施するための形態】
【０００７】
以下、本考案を実施する為の形態について説明する。
リストバンド（1）の表面に、ポイントの数字、文字（２）を記載する。
ポイントの数字、文字（２）の中央に回転する矢印（３）を設ける。
本考案は、以上の様な構造である。
これを使用する時は、リストバンドと一体となったカウンターを腕に巻き、ゲームのポイントに合わせて、
回転する矢印をポイントの数字、文字に合わせればよい。
【実施例】
【０００８】
考案リストバンドを使い易い方の腕に巻き、ゲーム中のポイント（LOVE・１５・３０・４０）を考案リストバンドに記載されているポイントに回転する矢印を合わせる。
【符号の説明】
【０００９】
（１）  リストバンド
（２）  数字、文字の刺繍、記載、貼り付け
（３）  回転する矢印
【図１】
0003210012.tif 000003
(57)【要約】      （修正有）【課題】車巾方向に車内で移動する際、体を支えて、安全に着席可能になり、走行中の上下の振れに対しても、安全性が増し、さらに、急停車時も安全に体を支えられる、高齢者用車載用手すりを提供する。【解決手段】ワンボックスタイプ車等、中間座席、最後部座席がある車の車内巾方向に、移動の際に体を支える手すり８であり、座席ヘットレスト３、４のシャフト穴と、座席アームレスト軸及び安全シートベルトを止めているボルト９、１０、１１を利用して取り付ける構造で、車巾に相当する長さの手すりであり、前座席の背もたれから一定の距離を保ち設置、固定する。【選択図】図１
0003210085.tif 000002
【実用新案登録請求の範囲】
【請求項１】
ワンボックスタイプ車等、中間座席、最後部座席がある車に乗り降りの際の車内巾方行に、移動の際に体をえる手すりであり、座席ヘットレストのシャフト穴と、座席アームレスト軸及び安全シートベルトを止めているボルトを利用して取り付る管構造で車巾をカバーする長さの手すりであり、前座席の背もたれから一定の距離を保ち設置、固定する、高齢者用車載用手すり。
【考案の詳細な説明】
【技術分野】
【０００１】本考案はワンボックス車等などの乗り降りのさい利用する高齢者用手すりに関するものである。
【背景技術】
【０００２】車載用手すりは前座席の裏に短かい手すりが取り付けられていたり無い場合もある。体を充分に、支えられず、不安定な移動をせざるえない、また、中座して、移動する場合であた車内にて車巾方向に移動の際、手すりとして使用する前、座席の背部に取り付けられた、短い取手は、巾方向に長さ不充分である。中座して移動する場には、手すりまで距離が長く手が届かないので、不安定な移動になっていた。前座席背部に短い手すりが取り付けられ無い車種が増えている。
【先行技術文献】
【特許文献】
【０００３】
【特許文献１】特開２００６−１１７２１６
【考案の概要】
【考案が解決しようとする課題】
【０００４】中間座席、最後部座席がある、車の前座席の背裏の手すりは、巾が短く座席との距離が離れて、設置されているため、利用者の手が居かないため車内の移動時に、不安定となり、着席に時間を必要となるなど課題がある。また走行時、横ゆれ、上、下のゆれ、急停車の際に体のゆれを押える手すりが短かく座席との距離があるため、高齢者には使いづらかった。
【課題を解決するための手段】
【０００５】ワンボッタイプ車等、中間席、最後部、座席がある車に乗り降りの際の車内、巾方行に移動の際に体を支え、また走行中の上、下のゆれ横ゆれ、急停車時に体を支える手すりであり、座席、ヘットレストのシャフト穴と座席アームレスト軸及び安全シートベルトを止めているボルトを利用して取り付る、管構造で車巾をカバーする長さの手すりであり、前座席の背もたれから一定の距離を保ち設置、固定する。高齢者用、車載用手すりである
【考案の効果】
【０００６】  車巾方向に車内で移動する際、高齢者用手すりを利用することで体を支えて、安全に着席可能になる。安全シートベルトと高齢者用手すり２点で体を支え走行中の上下の振れに対して、安全性が増す。さらに安全シートベルトと高齢者用手すりで、急停車時も安全に体を支えられる。
【図面の簡単な説明】
【０００７】
【図１】前座を示す。
【図２】中間座席を示す。
【図３】取付状態、平面図を示す。
【考案を実施するための形熊】
【０００８】前座席シートの背もたれ裏側への固定方法は、高齢者用車載用手すり（８）助手側安全シートベルトボルトに友締めする。次に右、左前座席シートを固定している、運転座席と助手座席に（１０）に友締め固定する。さらに運転座席と助手座席アームレフトボルト（９）に友締め固定する。さらに高齢者用、車載用手すり（８）に運転座席ヘットレストシャフト（５）及び助手座席ヘットレストシャフト（６）を貫通させて、ヘットレスト用穴に固定する。中間座席の裏側に高齢者用車載用手すりには運転席側中間ピーラー安全シートベルト止めボルト（１９）に友締め固定する。次に中間座席運転側ヘットレストシャフト（１６）及び中間座席助手席側ヘットレストの穴に貫通させて、ヘットレストシャフト用穴に固定する。さらに中間座席シートを固定しているボルト（１８）で友締め固定する。
【符号の説明】
【０００９】１      運転座席
２      助手座席
３      運転座席ヘットレスト（図３拡大）
４      助手座席ヘットレスト
５      運転座席ヘットレスト、シャフト
６      助手座席ヘットレスト、シャフト
７      ハンドル
８      高齢者用、車載用手すり
９      運転座席及び助手座席アームレスト止めボルト
１０    運転座席シート及び助手座席シートを止めボルト
１１    助手側センターピラー安全シートベルト止めボルト
１２    中間座席の裏側の高齢者用車載用手すり
１３    中間座席
１４    中間座席  運転側ヘットレスト
１５    中間座席  助手側ヘットレスト
１６    中間座席  運転側ヘットレストシャフト
１７    中間座席  助手側ヘットレストシャフト
１８    中間座席シート止めボルト
１９    運転席側中間ピーラー安全シートベルト止めボルト
２０    最後部座席
２１    フロント運転席側ドアー
２２    フロント助手席側ドアー
２３    助手側スライドドアー
２４    バックリフトドアー
【図１】
0003210085.tif 000003
【図２】
0003210085.tif 000004
【図３】
0003210085.tif 000005
(57)【要約】      （修正有）【課題】作業者の頭髪落下を防止する頭髪落下防止キャップを提供する。【解決手段】頭髪落下防止キャップ１０は、開口部３を有する袋状に形成され、装着された状態で使用者の頭部を覆う本体１と、本体の開口部３に設けられ、伸縮可能な素材が環状に形成された帯状体２とを備え、帯状体２は本体１の開口部３に接続されている接続部分６と分離部分４と、を有し、分離部分４は装着された状態であご近傍にかけられる。【選択図】図１
0003210084.tif 000002
【実用新案登録請求の範囲】
【請求項１】
使用者の頭部に装着される頭髪落下防止キャップであって、開口部を有する袋状に形成され、装着された状態で使用者の頭髪を覆う本体と、本体の開口部に設けられ、伸縮可能な素材が環状に形成された帯状体とを備え、帯状体は、本体の開口部に接続されている接続部分と、本体の開口部から分離されている分離部分と、を有し、分離部分は、装着された状態で使用者のあご近傍にかけられる頭髪落下防止キャップ。
【請求項２】
分離部分は中央部分において帯状体が伸びる方向に沿って伸びるスリットが形成されている請求項１に記載の頭髪落下防止キャップ。
【考案の詳細な説明】
【技術分野】
【０００１】  使用者の頭部に装着する頭髪落下防止キャップに関するものである。
【背景技術】
【０００２】  例えば特許文献１には、使用者の頭部において頭髪を覆うように装着される頭髪落下防止キャップが提案されている。
【先行技術文献】
【特許文献】
【０００３】
【特許文献１】特開２００４−２８５５４６号公報
【考案の概要】
【考案が解決しようとする課題】
【０００４】  一般には頭髪落下防止キャップは帽子と帯状体は別になっており、つながっていない為  それぞれが動いてしまい、そのズレによって頭髪の落下原因となっている。【０００５】  帯状体は頭部や首をしめつける事から苦しく作業者の頭部や首へのダメージにつながり使用者は、その苦しさから帯状体をひんぱんに引っぱるため、その行為により頭髪落下の原因となっている。
【課題を解決するための手段】
【０００６】  使用者の頭部に装着される頭髪落下防止キャップであって、開口部を有する袋状に形成され、装着された状態で使用者の頭髪を覆う本体と、本体の開口部に設けられ、伸縮可能な素材が環状に形成された帯状体とを備え、帯状体は本体の開口部に接続されている接続部分と分離部分と、を有し、分離部分は装着された状態で使用者のあご近傍にかけられる頭髪落下防止キャップ。【０００７】  分離部分は、中央部分において帯状体が伸びる方向に沿って伸びるスリットが形成されている頭髪落下防止キャップ。
【考案の効果】
【０００８】  本考案によれば本体と帯状体のズレがなく首や頭部への負担が軽減される為、作業者が本体をイジる事がなくなり、頭髪落下を防止できる。
【図面の簡単な説明】
【０００９】
【図１】本考案の頭髪落下防止キャップを装着した状態を示す側面図
【図２】頭髪落下防止キャップを開口部から視た図
【図３】頭髪落下防止キャップを後頭部側から視た図
【図４】接続部分の断面図
【考案を実施するための形態】
【００１０】  頭髪落下防止キャップ１０は開口部３を有する袋状に形成され、開口部３は開口部伸縮部材８によって伸縮する。装着された状態では、使用者の頭部を覆う本体１と、本体の開口部３に設けられ、伸縮可能な素材が環状に形成された帯状体２とを備え、帯状体２は本体１の開口部３に接続されている接続部分６と、分離部分４と、を有し、分離部分４は、装着された状態で使用者のあご近傍にかけられ、
【００１１】  分離部分４は、中央部分において帯状体が伸びる方向に沿って伸びるスリット５が形成されている。
【００１２】  本体１は円形にカットした素材を伸縮部材８によって袋状にに形成されている。帯状体２は強度を増す為２つ折りにした状態で本体１に半分以上接合されており、接続部分６と分離部分４とを有す。
【００１３】  装着方法は、本体１の開口部３と帯状体分離部分４との間に頭を挿入し、帯状体分離部分４をスリット５であごに固定する。本体１の中心を下に引き、ゴムによる伸縮部分７で本体１を定位置化する。
【００１４】  装着時、帯状体２はひたいからほほに密着し、接続部分６の接合部三層体９によって、頭髪が顔前面に出る事を確実に防止する。帯状体分離部分４はスリット５によってほほからあごにかけて密着固定される。よって帯状体２により顔前方からの頭髪落下を防止できる。本体１の開口部３は伸縮部材８により伸縮し、耳の後から後方の頭髪を包み込み、全ての頭髪は本体１の中に完全に収納される。本体１はゴムによる伸縮部分７によって定位置化される為ズレがない。本考案頭髪落下防止キャップ１０は首や頭をしめつけない為作業者は装着する事が苦にならず、頭髪落下の最大原因である頻繁に引っぱる動かすなどの行為がなくなり、頭髪落下を確実に防止しながらも、快適かつ健康的にスムーズな作業を続ける事ができる。
【符号の説明】
【００１５】  １  本体
２  帯状体
３  開口部
４  帯状体分離部分
５  スリット
６  接続部分
７  ゴムによる伸縮部分
８  開口部伸縮部材
９  接合部三層体
１０  頭髪落下防止キャップ
【図１】
0003210084.tif 000003
【図２】
0003210084.tif 000004
【図３】
0003210084.tif 000005
【図４】
0003210084.tif 000006
(57)【要約】      （修正有）【課題】就寝中等不意の火災であっても、煙を吸うことなく脱出できる避煙脱出救命具を提供する。【解決手段】建物１本体において、該建物の壁面２の床Ｘ付近に、室内Ｙから外部Ｚに向けて通気管３を配設し、該通気管３内にフレキシブルな吸気パイプを内蔵して設け、該吸気パイプの先端にはマスクを設け、火災時に前記マスクを顔面に装着して避難することを特徴とする。【選択図】図１
0003210024.tif 000002
【実用新案登録請求の範囲】
【請求項１】
建物（１）本体において、
該建物の壁面（２）の床（Ｘ）付近に、室内（Ｙ）から外部（Ｚ）に向けて通気管（３）を配設し、
該通気管（３）内にフレキシブルな吸気パイプ（４）を内蔵して設け、
該吸気パイプ（４）の先端にはマスク（５）を設け、
火災時に前記マスク（５）を顔面に装着して避難する
ことを特徴とする火災時における避煙脱出救命具。
【請求項２】
前記通気管（３）の室内（Ｙ）側の口端には、通常時にはパッキング材（３ａ）で閉塞されている
ことを特徴とする請求項１記載の火災時における避煙脱出救命具。
【請求項３】
前記通気管（３）の素材は不燃、あるいは難燃材である
ことを特徴とする請求項１または２記載の火災時における避煙脱出救命具。
【考案の詳細な説明】
【技術分野】
【０００１】
この考案は、火災時における避煙脱出救命具であり、特に、就寝中に火災が発生した際、咄嗟に煙から人命を守る救命具である。  
【背景技術】
【０００２】
近年、建物火災で悲惨な人命事故が毎日のようにニュース速報等で見かけられる。特に夜間に木造住宅での火災では何名もの人命が失われている。
【０００３】
しかし、その死因は焼死ではなく、煙を吸ったことによる一酸化炭素中毒であり、就寝中の火災で目を覚まし二回程度の呼吸することで人体の脳、体全体が麻痺して動けなくなることは立証されている。
【０００４】
そのため、種々のマスクが開発されている。例えば、特許文献１のように。
【先行技術文献】
【特許文献】
【０００５】
【特許文献１】特表２００４−５１７６８２号公報
【考案の概要】
【考案が解決しようとする課題】
【０００６】
そこで、上記課題を解決する為に、この考案は、就寝中等不意の火災であっても、発生した煙を吸うことなく脱出できる避煙脱出救命具を開発・提供する事にある。
【課題を解決するための手段】
【０００７】
この火災時における避煙脱出救命具は、
建物本体において、
該建物の壁面の床付近に、室内から外部に向けて通気管を配設し、
該通気管内にフレキシブルな吸気パイプを内蔵して設け、
該吸気パイプの先端にはマスクを設け、
火災時に前記マスクを顔面に装着して避難する
ことを特徴とする。
【０００８】
そして、
前記通気管の室内側の口端には、通常時にはパッキング材で閉塞されている
ことを特徴とする。
【０００９】
さらに、
前記通気管の素材は不燃、あるいは難燃材である
ことを特徴とする。
【考案の効果】
【００１０】
この考案によると、建物の室内から外部に通じる通気管を設けて、火災発生時に室内に煙が充満しても外部からの空気を確保し、通気管内に収納しているマスク及び、マスクに連結したフレキシブルの吸気パイプを引きだすことにより、室内は煙が充満していても煙を吸引することなく、吸気パイプで外気から新鮮な空気を吸引して素早く室外に脱出することができる等の極めて有益なる効果を奏するものである。
【図面の簡単な説明】
【００１１】
【図１】この考案の一実施例を示す説明図である。
【図２】この考案の一実施例を示す一部を切り欠いた説明図である。
【図３】この考案の非常時の一実施例を示す一部を切り欠いた説明図である。
【考案を実施するための形態】
【００１２】
以下、本考案について詳細に説明する。なお、本考案においては、以下の記述に限定されるものではなく、本考案の要旨を逸脱しない範囲においては適宜変更可能である。
【実施例】
【００１３】
そこで、この考案の一実施例を図面に基づいて詳述すると、この考案の最良の形態として、建物（１）本体において、該建物の壁面（２）の床（Ｘ）付近に、室内（Ｙ）から外部（Ｚ）に向けて通気管（３）を配設し、該通気管（３）内にフレキシブルな吸気パイプ（４）を内蔵して設け、該吸気パイプ（４）の先端にはマスク（５）を設け、火災時に前記マスク（５）を顔面に装着して避難することを特徴とする火災時における避煙脱出救命具から構成されるものである。
【００１４】
なお、建物（１）は、木造住宅はもとよりビル型マンションなど、いずれの建物であってもよいものであり、また、設置する箇所は居室、寝室等室内であればどこでも可能である。
【００１５】
また、床（Ｘ）付近とは、洋間であれば壁の下端に設けられた巾木の位置くらいを言うが、それ以外の箇所でもよい。
【００１６】
そして、前記通気管（３）の室内（Ｙ）側の口端には、通常時にはパッキング材（３ａ）で閉塞されているものであり、非常時に取り外して通気管（３）内部に収納しているマスク（５）を取り出すことにより、該マスクに連結された吸気パイプ（４）も一体に取り出し、マスク（５）を顔面に装着し、ゴムバンド（５ａ）で頭に被れば固定できて室内に充満した煙（Ｓ）を吸うことなく、外部からの空気を吸引するものである。
【００１７】
このパッキング材（３ａ）の形状には限定されない。また、該通気管（３）の外気（Ｚ）側の口端には開口しており、但し、害虫等の侵入を防止するため、網状の蓋で覆ってもよい。要するに、外気を取り入れることが出来ればよいものである。
【００１８】
さらに、前記通気管（３）の素材は、不燃、あるいは難燃材で構成されてあることが望ましく、さらに、該通気管は、図面に示すように蛇腹状であっても、また、伸縮自在のホース状のものであってもよい。
【産業上の利用可能性】
【００１９】
この考案によると、火災時における避煙脱出救命具の技術を確立し、それに基づいて大量に製造・施工することにより、産業上の利用可能性がある。
【符号の説明】
【００２０】
１  建物
２  壁面
３  通気管
３ａ  パッキング材
４  吸気パイプ
５  マスク
Ｓ  煙
Ｘ  床
Ｙ  室内
Ｚ  外部
【図１】
0003210024.tif 000003
【図２】
0003210024.tif 000004
【図３】
0003210024.tif 000005
(57)【要約】      （修正有）【課題】一般にペット用トイレと呼ばれている愛玩動物の排泄物受け具に関し、ペットがトイレをひっくり返してもトイレとしての機能を損なわず、いたずらでトイレ自体を分解するのを防止することが出来るペットトイレを提供する。【解決手段】トイレ両面にペットシーツを敷設出来る構造とし、淵蓋ａ、メッシュ部ｂ、受け皿ｃとで構成される。淵蓋ａ・メッシュ部ｂと受け皿ｃとの間に市販のペットシーツを挟み込み、スライド式ストッパーｄにて固定される。【選択図】図１
0003210068.tif 000002
【実用新案登録請求の範囲】
【請求項１】
ペット用のトイレであって、両面にペットシーツを敷設することが出来ることを特徴とするペットトイレ。
【請求項２】
材質を合成樹脂で構成される請求項１記載のペットトイレ。
【請求項３】
トイレ本体とメッシュ蓋部を固定する為にスライドレールを用いることを特徴とする請求項１又は２記載のペットトイレ。
【考案の詳細な説明】
【図１】
0003210068.tif 000003
【手続補正書】
【提出日】平成28年12月16日(2016.12.16)
【手続補正１】
【補正対象書類名】実用新案登録請求の範囲
【補正対象項目名】全文
【補正方法】変更
【補正の内容】
【実用新案登録請求の範囲】
【請求項１】
表裏ともにペットシーツを押さえる為の格子状になっているメッシュ部（図面１のｂ）、メッシュ部分を固定する為の淵蓋（図面１のａ）、ペットの排泄物を受け止める表裏共通の受け皿（図面１のｃ）から構成されることにより表裏共にトイレとしての機能を持たすことを特徴とするペットトイレ。
【請求項２】
前記ペットトイレの材質を合成樹脂とすることを特徴とする請求項１のペットトイレ。
【請求項３】
前記ペットトイレの受け皿（図面１のｃ）本体と格子状になっているメッシュ部分を固定する為の淵蓋（図面１のａ）を固定する為に凹凸状のスライド式固定具（図面１のｄ）を用いることを特徴とする請求項１又は２記載のペットトイレ。
【手続補正２】
【補正対象書類名】明細書
【補正対象項目名】全文
【補正方法】追加
【補正の内容】
【考案の詳細な説明】
【技術分野】
【０００１】長時間ペットをゲージに入れておかなければならない場合にペットがトイレを噛んでバラバラに分解したり、ひっくり返すなどのイタズラをしてトイレとして機能を損なうことが多々ありますが本考案のペットトイレを使用することによって上記の問題を解消する事が出来ます。
【背景技術】
【０００２】従来のトイレ本体と蓋との固定方法である引っ掛け式やプッシュプル方式ではペットが簡単に蓋を開けてバラバラにしてしまったり、表裏をひっくり返してしまったりしてトイレとして機能していない場合があります。
【課題を解決するための手段】
【０００３】本考案はトイレ本体と蓋との固定にペットが開けにくい凹凸状のスライド式固定具を採用することによって、イタズラによりトイレをバラバラに分解されることを防ぎます。又、表裏共にトイレとしての機能を持たすことによって、イタズラでペットがトイレをひっくり返してもトイレとしての機能を保持し続けることが出来ます。
【考案の効果】
本ペットトイレを使用することによってイタズラでトイレをバラバラに分解されることが無く、またイタズラによりトイレをひっくり返されても表裏共にトイレとしての機能があるのでペットのゲージの掃除が容易に行うことが出来ます。
【図面の簡単な説明】
【図１】トイレ両面にペットシーツを敷設出来る構造とする為に、表裏共にペットシーツを押さえ込む為の格子状となっているメッシュ部（図面１のｂ）とトイレ本体とを固定する為の淵蓋（図面１のａ）、トイレ本体の受け皿（図面１のｃ）とで構成される。淵蓋（図面１のａ）・メッシュ部（図面１のｂ）と受け皿（図面１のｃ）との間に市販のペットシーツを挟み込み、凹凸状のスライド式固定具（図面１のｄ）にて固定される。
【符号の説明】ａ：淵蓋
ｂ：メッシュ部
ｃ：受け皿
ｄ：スライド式固定具
【手続補正３】
【補正対象書類名】図面
【補正対象項目名】全図
【補正方法】変更
【補正の内容】
【図１】
0003210068.tif 000004